(57)【要約】【課題】流体の流路の途中に伝熱板が設けられ、伝熱板上に電子部品が設けられた熱交換ユニットにおいて、流路中の流体の均一な流れが安定に維持される熱交換ユニットを提供すること、そしてそのような熱交換ユニットを有する人体局部洗浄装置を提供すること。【解決手段】熱交換ユニットは、流体が流れる流路を内部に有し、両端面に開口を有する筒状の流体容器と、流体容器の内部に設けられ、流路を流れる流体を加熱する加熱手段と、を備える。流体容器の開口のうち一方は、加熱手段および加熱手段と一体に形成されたフランジ部によって閉塞され、他方は、前記流体と接触し、流体容器の内側に臨む面と外側に臨む面との間で熱を伝達する伝熱板によって閉塞される。伝熱板の流体容器の外側に臨む面には、発熱する電子部品および熱を検知して作動する電子部品の少なくとも一方が配置される。【選択図】図２
2014228252.tif 000002
【特許請求の範囲】
【請求項１】
流体が流れる流路を内部に有し、両端面に開口を有する筒状の流体容器と、前記流体容器の内部に設けられ、前記流路を流れる流体を加熱する加熱手段と、を備え、
前記流体容器の開口のうち一方は、前記加熱手段および前記加熱手段と一体に形成されたフランジ部によって閉塞され、他方は、前記流体と接触し、前記流体容器の内側に臨む面と外側に臨む面との間で熱を伝達する伝熱板によって閉塞され、
前記伝熱板の前記流体容器の外側に臨む面には、発熱する電子部品および熱を検知して作動する電子部品の少なくとも一方が配置されていることを特徴とする熱交換ユニット。
【請求項２】
前記加熱手段は中空の筒状であり、その先端部と前記伝熱板の間には流体が通過可能な空間が形成され、
前記流路は、前記加熱手段の中空部から前記空間を通り、前記加熱手段の外壁と前記流体容器の内壁の間に形成された空間に至るものであることを特徴とする請求項１に記載の熱交換機器。
【請求項３】
前記伝熱板は、前記流体容器の外壁よりも外側まで延出していることを特徴とする請求項１または２に記載の熱交換ユニット。
【請求項４】
請求項１から３のいずれか１項に記載の熱交換ユニットによって加熱された温水を人体局部洗浄用に供給することを特徴とする人体局部洗浄装置。
【発明の詳細な説明】
【技術分野】
【０００１】
本発明は、熱交換ユニットおよび人体局部洗浄装置に関し、さらに詳しくは、流体を加熱する熱交換ユニットおよびそのような熱交換ユニットを備える人体局部洗浄装置に関する。
【背景技術】
【０００２】
人体局部洗浄装置等に備えられ、所定の温度に加熱された温水を供給する熱交換ユニットにおいて、水の流路に金属等熱伝導率の高い材料よりなる伝熱板（感熱板、放熱板）を設け、トライアック等の発熱する電子部品や、温度ヒューズ等の安全装置を、その伝熱板上に設ける構成が公知である。この場合、図５に模式的に示すように、従来の熱交換ユニット９０においては、ヒータ９２を収容し、流体の流路Ｃを構成する流体容器９１の側壁面９１ａに伝熱板９３が設けられている。例えば、特許文献１においては、流体容器（円筒躯体７２ａ）の側壁面に開口（バイメタル取付用開口７２ｅ）を形成し、伝熱板（７３ａ）を備えるバイメタルスイッチ７３が取り付けられている。また、特許文献２においても、流体容器（給湯タンク３）の側壁に、トライアックが取り付けられた構成が示されている（特許文献２中図１参照）。
【先行技術文献】
【特許文献】
【０００３】
【特許文献１】特開２００１−１３２０６１号公報
【特許文献２】特開２００７−２１８００６号公報
【発明の概要】
【発明が解決しようとする課題】
【０００４】
上記のように、トライアックやヒューズ等の電子部品を設置するための伝熱板を、流路を構成する流体容器の側壁の中途部位に設ける場合には、図５に示すように、樹脂等よりなる流体容器９１の側壁面９１ａに開口部９５を形成し、この開口部９５を金属等よりなる伝熱板９３によって閉塞することになる。すると、流路Ｃの壁面には、伝熱板９３と隣接する部位との間に、不可避的に段差Ｓが生じ、伝熱板９３が配置された部位において、他の部位に比べて流路の断面積Ｃが不均一に広くなってしまう。すると、流路Ｃを流れる流体が空間的に均一に加熱を受けにくくなり、加熱のムラが生じてしまう。
【０００５】
本発明が解決しようとする課題は、流体の流路の途中に伝熱板が設けられ、伝熱板上に電子部品が設けられた熱交換ユニットにおいて、流路中の流体の均一な流れが安定に維持される熱交換ユニットを提供すること、そしてそのような熱交換ユニットを有する人体局部洗浄装置を提供することにある。
【課題を解決するための手段】
【０００６】
上記課題を解決するために、本発明にかかる熱交換ユニットは、流体が流れる流路を内部に有し、両端面に開口を有する筒状の流体容器と、前記流体容器の内部に設けられ、前記流路を流れる流体を加熱する加熱手段と、を備え、前記流体容器の開口のうち一方は、前記加熱手段および前記加熱手段と一体に形成されたフランジ部によって閉塞され、他方は、前記流体と接触し、前記流体容器の内側に臨む面と外側に臨む面との間で熱を伝達する伝熱板によって閉塞され、前記伝熱板の前記流体容器の外側に臨む面には、発熱する電子部品および熱を検知して作動する電子部品の少なくとも一方が配置されていることを要旨とする。
【０００７】
ここで、前記加熱手段は中空の筒状であり、その先端部と前記伝熱板の間には流体が通過可能な空間が形成され、前記流路は、前記加熱手段の中空部から前記空間を通り、前記加熱手段の外壁と前記流体容器の内壁の間に形成された空間に至るものであることが好適である。
【０００８】
さらに、前記伝熱板は、前記流体容器の外壁よりも外側まで延出していることが好ましい。
【０００９】
本発明にかかる人体局部洗浄装置は、上記のような熱交換ユニットによって加熱された温水を人体局部洗浄用に供給することを要旨とする。
【発明の効果】
【００１０】
上記本発明にかかる熱交換ユニットにおいては、発熱する電子部品および／または熱を検知して作動する電子部品が伝熱板を介して流路を流れる流体と熱的に接触しているため、発熱する電子部品を流路を流れる流体によって冷却することができる。また熱を検知して作動する電子部品を流路を流れる流体の熱によって作動させることができる。伝熱板が、筒状の流体容器の側壁の一部として構成されているのではなく、流体容器の一方の開口全体を閉塞して構成されているので、伝熱板の存在が、流路の断面積に影響を与えず、流路中における流体の均一な流れが維持される。これにより、流体が高い均一性を有して加熱手段によって加熱される。
【００１１】
加えて、伝熱板が、熱伝達の役割だけでなく、流路の開口の一方を閉塞するための部材としての役割を果たすことから、流路の開口を閉塞するための部材と別に伝熱板を設ける場合と比較して、部品点数を削減し、熱交換ユニットの製造コストを削減することができる。
【００１２】
ここで、加熱手段が中空の筒状であり、その先端部と伝熱板の間に流体が通過可能な空間が形成され、流路が、加熱手段の中空部からその空間を通り、加熱手段の外壁と流体容器の内壁の間に形成された空間に至るものである場合には、流路が単純な形状、つまり、略均一な断面積の直線的な部分が結合された折れ線状の単純な形状を有する。このように、流路の形状そのものの効果として、流路に沿った流体の流れの均一性が高いため、その高い均一性が伝熱板の存在によって乱されないことの効果が一層大きく享受される。また、流路を流れる流体が伝熱板に当たって折り返すうえ、流体が伝熱板に接触する部位が流路のほぼ中間点に位置し、伝熱板に接触する流体があまり高温まで加熱されていないので、伝熱板の外側に設置された発熱する電子部品に対する冷却効果が高くなる。
【００１３】
さらに、伝熱板が、流体容器の外壁よりも外側まで延出している場合には、電子部品を配置することができる領域の面積が大きくなり、複数の電子部品を配置することが容易となる。また、電子部品の発熱が相互の動作に影響を与えないように、電子部品同士を離して配置することも容易となる。
【００１４】
本発明にかかる人体局部洗浄装置によると、熱交換ユニットにおいて、電子部品が配置される伝熱板によって流路中における流体の均一な流れが妨げられず、流体の流れが安定に維持され、流体が均一に加熱されるので、使用者が快適に人体局部洗浄装置を使用することができる。
【図面の簡単な説明】
【００１５】
【図１】本発明の第一の実施形態にかかる熱交換ユニットの長手方向に沿った断面図である。
【図２】（ａ）は図１の断面図を概略的に示したものであり、（ｂ）は（ａ）のＡ−Ａ断面図である。
【図３】本発明の第二の実施形態にかかる熱交換ユニットの概略断面図である。
【図４】本発明の第三の実施形態にかかる熱交換ユニットの概略断面図である。
【図５】従来一般の熱交換ユニットの概略断面図である。
【発明を実施するための形態】
【００１６】
以下、本発明の実施形態にかかる熱交換ユニットついて図面を参照しつつ詳細に説明する。
【００１７】
（第一の実施形態）
図１および図２は、本発明の第一の実施形態にかかる熱交換ユニット１の断面を示している。熱交換ユニットは、熱交換器や流体加熱装置とも称され、内部に流入された流体を所定温度に加熱し、外部に供給するものである。以下では、熱交換ユニットによって加熱される流体を水として説明を行う。
【００１８】
本実施形態にかかる熱交換ユニット１においては、通電により水を加熱できるヒータ１２が流体容器１０の中に挿入されている。流体容器１０は、公共水道等の水源から水が流入する流入口１３と温水が流出する流出口１４とを備え、水源から供給された低温の水をヒータ１２により加熱し、連続的に温水を流出口１４から外部に供給することができる。流体容器１０の底部には、伝熱板２０が設けられ、伝熱板２０には、熱交換ユニット１の制御に使用される電子部品３０が設けられている。以下、各部材の構成と配置について、詳細に説明する。なお、説明は省略するが、熱交換ユニット１は、上記各部材に加え、加熱された温水の温度を検出する温度センサや、水の流入および／または流出を調節するバルブ、水流計、各種安全装置等を適宜備えることができる。
【００１９】
ヒータ１２は電力により水を加熱することができる絶縁性の高いヒータである。熱交換ユニット１全体を小さく設計することや、後述するように水が流路の中途部位に設けられた伝熱板に当たって循環する流路を構成することを考えると、ヒータ１２としては、内壁面１２ａ及び外壁面１２ｂの両方で加熱可能な中空円筒形の加熱部１２ｃを有するセラミックヒータを使用することが好適である。ヒータ１２においては、加熱部１２ｃと一体に、フランジ部１２ｄが形成されている。ヒータ１２の出力は、電流入力を制御することによって行われる。このヒータ１２への電流入力の制御は、トライアックによって行われる。また、ヒータ１２による異常加熱を防止するため、ヒータ１２への電流入力を行う回路には、適宜温度ヒューズが設けられている。
【００２０】
流体容器１０はヒータ１２を内部に収容しており、流体容器１０の側壁面１１およびヒータ１２によって区画された空間に水が流通する流路Ｃが形成されている。流体容器１０は、両端に開口１０ａ，１０ｂを有する略筒形の形状を有する。上部開口１０ａからは、加熱部１２ｃの中心軸が流体容器１０の長手方向軸に平行になるように、ヒータ１２が挿入され、ヒータ１２の加熱部１２ｃおよびフランジ部１２ｄによって上部開口１０ａが閉塞されている。流体容器１０の底部開口１０ｂは、伝熱板２０によって閉塞されている。伝熱板２０は、銅に代表される金属のような高い熱伝導率を有する板材よりなり、シール部材２５を介して流体容器１０の開口部に取り付けられている。加熱部１２ｃの先端部と、伝熱板２０の間には、流体が通過するための空間が設けられている。本実施形態においては、伝熱板２０は、流体容器１０の底部開口１０ｂの外縁を構成する側壁面１１の外周と略同形状の外形を有している。
【００２１】
つまり、ヒータ１２上端の開口部として設けられた流入口１３から入った水は、加熱部１２ｃの円筒体内を加熱部１２ｃの軸方向に流れ、加熱部１２ｃの先端部に至る。水は次に加熱部１２ｃの先端部と伝熱板２０の間の空間に移動する。さらに、水は、伝熱板２０の部位から流体容器１０の上部に設けられた流出口１４に向かって、流体容器１０の長手方向沿って流れる。水はこの流路Ｃを流れる間に、加熱部１２ｃの内壁面１２ａおよび外壁面１２ｂとの接触によって加熱される。
【００２２】
流体容器１０の底部開口１０ｂを閉塞している伝熱板２０の外側面２０ｂには、動作時に発熱する発熱電子部品３０が密着して取り付けられている。伝熱板２０は、高い熱伝導率を有しており、伝熱板２０の内側面２０ａと外側面２０ｂの間に高効率で熱伝達が起こる。つまり、伝熱板２０の内側面２０ａと接触する水と、外側面２０ｂに接する発熱電子部品３０とが熱的に接触され、発熱電子部品３０が、流路Ｃを流れる水によって冷却される。
【００２３】
発熱電子部品３０としては、ヒータ１２への電流入力を制御するトライアックを挙げることができる。トライアックは動作時に非常に高温まで発熱する電子部品であり、容易に１００℃以上にまで加熱される。よって、流路Ｃを流れる水はヒータ１２によって加熱されているものの、通常はトライアックよりも低温であり、流路Ｃを流れる水を使用してトライアックの冷却を行うことができる。特に、熱交換ユニット１が人体局部洗浄装置に使用される場合には、熱交換ユニット１が供給する温水温度の上限は、人体に接触しても過度に熱く感じられない温度（例えば４０℃程度）であるので、流路Ｃを流れる水の温度はトライアックの発熱温度に比べてはるかに低く、トライアックを効率的に冷却することができる。
【００２４】
また、発熱電子部品３０とともに、あるいは発熱電子部品３０のかわりに、熱を検知して作動する感熱電子部品が伝熱板２０上に設けられてもよい。伝熱板２０を介して感熱電子部品と流路Ｃを流れる水の間で熱交換が行われることにより、流路Ｃを流れる水の温度によって、感熱電子部品が作動される。感熱電子部品としては、ヒータ１２への電流入力回路の途中に設けられる温度ヒューズ、バイメタルスイッチ等の安全装置を挙げることができる。つまり、流路Ｃを流れる水が異常加熱されると、その熱が温度ヒューズやバイメタルスイッチに伝達され、所定の閾値温度を超えた時に、ヒータ１２への電流入力が遮断され、異常加熱状態が強制的に解消される。
【００２５】
このように、筒状の流体容器１０の底部開口１０ｂが伝熱板２０によって閉塞され、その内側面２０ａが流路Ｃを流れる水に直接接触し、その外側面２０ｂに発熱電子部品および／または感熱電子部品が取り付けられることで、流路Ｃを流れる水を用いて発熱電子部品を冷却することができる。また、異常加熱等への対策を感熱電子部品を用いて行うことができる。ここで、伝熱板２０が、図５に示した場合のように流体容器１０の側壁部の一部として形成されているのではなく、底部開口１０ｂ全体を閉塞する部材として形成されていることで、伝熱板２０が流路Ｃの形状に影響を与えない。つまり、伝熱板２０が存在することで、流路Ｃを構成する壁面に、流路Ｃの断面形状や断面積に影響を与えるような段差構造が形成されることがなく、流路Ｃの壁面が平滑な状態に維持される。これにより、伝熱板２０の存在が流路Ｃを流れる水の加熱の均一性に影響を与えることが防止されている。もし伝熱板２０が設けられた部位において、局所的に流路Ｃの断面積や断面形状が変調を受けると、ヒータ１２によって水を空間的に均一に加熱することが困難になり、水の加熱に空間的なムラが生じる。その結果、熱交換ユニットから供給される温水の温度が一定しなくなり、使用者に不快感を与えることになる。しかし、本実施形態にかかる熱交換ユニット１においては、伝熱板２０の存在によって流路Ｃの断面積が影響を受けないので、このような流路Ｃの形状に起因する水流の不均一性と加熱のムラを排除することができ、供給される温水の温度の一定性を高めることができる。
【００２６】
特に本実施形態にかかる熱交換ユニット１では、流路Ｃ全体における断面積および断面形状の変化が小さいので、伝熱板２０が流路Ｃの断面積および断面形状に影響を与えないことによる、加熱の均一性維持の効果が大きく享受される。つまり、本実施形態にかかる熱交換ユニット１では、筒状の流体容器１０にヒータ１２の中空円筒状の加熱部１２ｃが挿入されており、流路Ｃが、ヒータ１２の加熱部１２ｃの中空部から流体容器１０の底部を通り、折り返してヒータ外壁面１０ｂと流体容器１０の側壁面１１の間の空間に至る、略折れ線状の単純な形状よりなっており、その途中に、伝熱板２０を含めて、水流を妨げるような突出部や凹部を有していない。これにより、均一性の高い水流が安定に得られ、加熱される。
【００２７】
また、流体容器１０の底部に伝熱板２０が設けられていることで、ヒータ１２の中空部から流れ出た水が伝熱板２０に当たって折り返す。つまり、伝熱板２０の内側面２０ａは、流体の流束に略垂直に交差しており、伝熱板２０の内側面２０ａは、略垂直の方向から、循環する水の流れを常に受けている（図２参照）。これによって、流路Ｃ中の水の温度が伝熱板２０に高効率で伝達され、伝熱板２０の外側面２０ｂに設けられる電子部品３０が発熱電子部品である場合には、その冷却が効果的に行われることになる。伝熱板２０の外側面２０ｂに設けられる電子部品が感熱電子部品である場合には、流体の温度変化に敏感に反応してその感熱電子部品が作動するようになる。さらに、本実施形態においては、ヒータ１２の中空円筒状の加熱部１２ｃの内壁面１２ａと外壁面１２ｂの両方に接触した水が加熱されるので、水が加熱を受ける流路Ｃのほぼ中間に伝熱板２０が設けられていることになる。これにより、伝熱板２０の内側面２０ａに接触する水は、流出口１４の部位における目標温度までには加熱されておらず、加熱部１２ｃの外壁面１２ｂと流体容器１０の側壁面１１との間を流れる水よりも低温の状態にある。よって、伝熱板２０の外側面２０ｂに設けられる電子部品が発熱部品である場合に、伝熱板２０が流体容器１０の側壁部に設けられる場合よりも、高い冷却効率を得ることができる。
【００２８】
なお、本実施形態の場合のように、ヒータ１２が円筒形の加熱部１２ｃを有するものであることは必須ではなく、流体容器１０中に構成される流路Ｃも、上記のように中空の加熱部１２ｃの内側領域を通って、折り返して外側領域に至るようなものでなくてもよい。任意の形状のヒータ１２および流路Ｃを有する熱交換ユニット１において、筒状の流体容器１０の開口の一方を伝熱板２０によって閉塞し、その伝熱板２０の上に発熱電子部品および／または感熱電子部品を設ければ、水流の安定性を維持しながらそれら電子部品と流体容器１０中の水との間の熱伝達を実現することができる。しかしながら、本実施形態のように、中空筒状の加熱部１２ｃを有するヒータ１２を用い、筒状の流体容器１０の開口の一方をヒータ１２のフランジ部１２ｄで閉塞し、他方を伝熱板２０で閉塞する構成とし、水がヒータ１２の内側領域を通って、伝熱板２０に当たって折り返して外側領域に至るような流路Ｃを形成しておくことによって、伝熱板２０が存在していても安定性の高い水流を得られるという効果を大きく享受することができる。もし流路を構成する壁面に凹凸が形成されているなど、複雑な形状の流路の開口を閉塞して上記のような平板状の伝熱板が設けられる場合には、伝熱板の有無によらず、流路の形状自体に起因して、水流の均一性が低い状態にあるので、伝熱板の存在が水流の均一性を乱さないことの効果が限定的なものとなってしまう。また、上記のように、流路Ｃ中の水の温度が伝熱板２０に高効率で伝達されるという効果や、伝熱板２０に接触する水が比較的低温の状態にあって高い冷却効率が得られるという効果も、上記実施形態のように、水流が伝熱板２０に当たって折り返す構成によって得られるものである。これらの点において、筒状の流体容器１０の開口の一方を伝熱板２０で閉塞してその外側面２０ｂに電子部品３０を配置するという構成を、中空筒状のヒータ１２の内側部領域から外側領域に折り返す流路Ｃの形態と組み合わせる本実施形態にかかる熱交換ユニット１の構成が好適である。
【００２９】
さらに、本実施形態においては、伝熱板２０が、その外側面２０ｂに設けられた電子部品と流路Ｃを流れる水とを熱的に接触させる役割だけでなく、流体容器１０の底部開口１０ｂを物理的に閉塞する役割も果たす。つまり、流体容器１０の底部開口１０ｂを閉塞するための部材と伝熱板２０とを独立した部材として設ける必要がない。よって、流体容器１０の側壁面１１に伝熱板２０を設ける場合には、伝熱板２０と底部開口１０ｂを閉塞するための部材がそれぞれ必要となるのと比較して、熱交換ユニット１の製造コストを抑制することができる。
【００３０】
伝熱板２０の外側面２０ｂに設けられた電子部品と流路Ｃを流れる水との間の熱伝達の効率を高くするためには、電子部品は、伝熱板２０の中央部、つまり流体容器１０の底部開口１０ｂの中央部に設けることが好ましい。また、電子部品の大きさと伝熱板２０の面積の関係によって可能ならば、伝熱板２０上に複数の電子部品を設置してもよい。この場合、各電子部品を伝熱板２０のどの位置に配置するかは、各電子部品の形状や機能を勘案して適宜定めればよい。例えば、流路Ｃを流れる水との間の高効率な熱伝達がより高度に求められる電子部品を、伝熱板２０の中央により近い位置に配置すればよい。また、特に発熱電子部品と感熱電子部品の両方を伝熱板２０上に配置する場合には、発熱電子部品の発する熱が感熱電子部品の動作に影響を与えないように、両者を離して配置することが望ましい。
【００３１】
（第二の実施形態）
上記第一の実施形態にかかる熱交換ユニット１においては、伝熱板２０は、流体容器１０の底部開口１０ｂの外縁を構成する側壁面１１の外周と略同形状の外形を有していたが、伝熱板の面積をそれよりも大きくし、流体容器１０の側壁面１１の位置よりも外側まで延びた延出部を設ける構成とすることができる。図３に示した第二の実施形態にかかる熱交換ユニット２は、このような延出部４１を有している。第二の実施形態にかかる熱交換ユニット２においては、伝熱板４０の延出部４１が、曲折部４２において折り曲げられ、曲折部４２よりも外側が流体容器１０の側壁面１１と略平行とされている。
【００３２】
この熱交換ユニット２におけるように、伝熱板４０が流体容器１０の側壁面１１よりも外側に延出して、大面積で設けられていることにより、伝熱板４０上に複数の電子部品を設けることが容易となる。例えば、図示した第二の実施形態にかかる熱交換ユニット２においては、伝熱板４０上に３つの電子部品３０ａ〜３０ｃが配置されている。また、伝熱板４０が大面積であることにより、複数の電子部品の相互配置の自由度が高められ、それらを相互に離間させて設けることも容易となる。上記第一の実施形態にかかる熱交換ユニット１の場合と同様に、複数の電子部品のそれぞれの配置は、各電子部品の形状や機能に応じて適宜定めればよい。発熱電子部品と感熱電子部品の両方を伝熱板４０上に設ける場合には、それらをできる限り相互に離間させることが望ましい。
【００３３】
なお、延出部４１は、図３に示したように、流体容器１０の一方向（図３中ではの下方）にのみ設けても、変形例として、二方向に設けてもよい。二方向に設ける場合、２つの延出部４１を流体容器１０を挟んで対向する位置に設ければよい。例えば、図３において、流体容器１０の下方に設けられている延出部４１に加えて、流体容器１０の上方にも、折れ曲がり構造を有する同様の延出部４１を形成すればよい。いずれの形態を採用するかは、伝熱板４０上に配置する電子部品の数等を考慮して、適宜選択すればよい。
【００３４】
このように、伝熱板４０に折れ曲がり構造を有する延出部４１が形成された第二の実施形態にかかる熱交換ユニット２の形式を採用すれば、次に述べるような、延出部を含む伝熱板全体が平板状に形成された第三の実施形態にかかる熱交換ユニットを採用する場合に比べ、流体容器１０の長手方向と直交する方向について熱交換ユニット全体をコンパクトに形成することができる。
【００３５】
（第三の実施形態）
上記第二の実施形態にかかる熱交換ユニット２においては、伝熱板４０の延出部は、曲折部４２において折り曲げられて形成されていたが、伝熱板に流体容器１０の側壁面１１の位置よりも外側まで延びた延出部を設けた別の構成として、図４に示した第三の実施形態にかかる熱交換ユニット３を示すことができる。第三の実施形態にかかる熱交換ユニット３においては延出部５１を含む伝熱板５０全体が平板状に形成されている。
【００３６】
本第三の実施形態にかかる熱交換ユニット３においても、伝熱板５０が流体容器１０の側壁面１１よりも外側に延出して、大面積で設けられていることにより、伝熱板５０上に複数の電子部品を設けることが容易となる。例えば、図示した第三の実施形態にかかる熱交換ユニット３においては、伝熱板５０上に５つの電子部品３０ａ〜３０ｅが配置されている。また、伝熱板５０が大面積であることにより、複数の電子部品の相互配置の自由度が高められ、それらを相互に離間させて設けることも容易となる。本実施形態においても、第二の実施形態にかかる熱交換ユニット２の場合と同様に、発熱電子部品と感熱電子部品の両方を伝熱板５０上に設ける場合には、それらをできる限り相互に離間させることが望ましい。
【００３７】
上記第二の実施形態の熱交換ユニット２においては、折り曲げられて流体容器１０の側壁と略平行になった延出部４１と流体容器１０の間の空間が限定されているので、延出部の裏側面４１ａに配置できる電子部品が形状や大きさの点で制約されるのに対し、本第三の実施形態にかかる熱交換ユニット３においては、延出部５１の裏側面５１ａが臨む空間が少なくとも熱交換ユニット３の構成部材によっては制約されておらず、比較的大きな電子部品でも配置することができる。第二の実施形態の熱交換ユニット２のように曲折部４２を有する伝熱板４０を使用するか、第三の実施形態の熱交換ユニット３のように平板状の伝熱板５０を使用するかは、伝熱板上に配置する電子部品の数やそれぞれの形状、熱交換ユニットの周辺に配置された部材とそれら電子部品との間の干渉等の要素を考慮して適宜選択すればよい。
【００３８】
（人体局部洗浄装置）
最後に、本発明の実施形態にかかる人体局部洗浄装置は、上記実施形態にかかる熱交換ユニット１，２，３のいずれかを備えてなる。人体局部洗浄装置は、便座に備えられ、ノズルから温水を噴出することで、おしり洗浄やいわゆるビデ洗浄を行う。熱交換ユニット１（２，３）は、所定の温度に加熱した温水をノズルからの噴出用に供給する。
【００３９】
上記のように、熱交換ユニット１（２，３）が伝熱板上２０（４０，５０）に発熱電子部品および／または感熱電子部品を有し、発熱電子部品が流路Ｃを流れる水によって冷却され、安定に動作すること、また感熱電子部品が水の異常加熱を監視していることで、使用者が快適に人体局部洗浄装置を使用することができる。また、伝熱板２０（４０，５０）が熱交換ユニット１（２，３）の底部に設けられていることで安定な水流が得られ、水の加熱の均一性が高くなっていることから、ノズルから温度の安定性の高い温水が噴出され、使用の快適性が一層高められる。さらに、伝熱板２０（４０，５０）が流体容器１０の底部開口１０ｂを閉塞する部材としての役割を兼ねることで熱交換ユニット１（２，３）の製造コストが抑制されているので、人体局部洗浄装置全体の製造コストもその分だけ抑制される。
【００４０】
以上、本発明の実施形態について詳細に説明したが、本発明は上記実施形態に何ら限定されるものではなく、本発明の要旨を逸脱しない範囲で種々の改変が可能である。
【符号の説明】
【００４１】
１，２，３              熱交換ユニット
１０                    流体容器
１０ａ                  上部開口
１０ｂ                  底部開口
１２                    ヒータ
１２ｃ                  加熱部
１２ｄ                  フランジ部
１３                    流入口
１４                    流出口
２０，４０，５０        伝熱板
２０ａ                  （伝熱板の）内側面
２０ｂ                  （伝熱板の）外側面
４１，５１              延出部
４２                    曲折部
３０，３０ａ〜３０ｅ    電子部品
Ｃ                      流路
【図１】
2014228252.tif 000003
【図２】
2014228252.tif 000004
【図３】
2014228252.tif 000005
【図４】
2014228252.tif 000006
【図５】
2014228252.tif 000007